(57)【要約】【課題】電解水を効率よく生成して、各装置に所定の濃度の電解水を供給することのできる電解水供給装置および電解水供給システムを提供する。【解決手段】電解水供給装置１０を、所定のイオン種を含む水を電気分解して所定の活性酸素種を含む電解水原液を生成する電解水原液生成ユニット２０と、活性酸素種濃度を所定濃度に調整した電解水原液を貯留する電解水原液貯留ユニット３０と、電解水原液と水とを混合した電解水を外部装置に分配する分配管１６を複数備えた電解水調整分配ユニット４０と、電解水原液と外部の給水源から供給される水との混合比を分配管１６毎に制御して、各分配管１６毎に電解水の活性酸素種濃度を調整可能に制御する分配濃度調整制御ユニット７０とを備える構成とする。【選択図】図２
2008136980.tif 000002
【特許請求の範囲】
【請求項１】
所定のイオン種を含む水を電気分解して所定の活性酸素種を含む電解水原液を生成する電解水原液生成ユニットと、
前記電解水原液生成ユニットと接続され、活性酸素種濃度を所定濃度に調整した電解水原液を貯留する電解水原液貯留ユニットと、
前記電解水原液貯留ユニットおよび外部の給水源と接続され、前記電解水原液と水とを混合した電解水を外部装置に分配する分配管を複数備えた電解水調整分配ユニットと、
前記電解水原液と前記外部の給水源から供給される水との混合比を前記分配管毎に制御して、各分配管毎に電解水の活性酸素種濃度を調整可能に制御する分配濃度調整制御ユニットと、
を備えることを特徴とする電解水供給装置。
【請求項２】
請求項１記載の電解水供給装置において、
前記電解水原液貯留ユニットは、
当該電解水原液貯留ユニット内の電解水原液の活性酸素種濃度を検出する濃度検出センサと、
前記濃度検出センサにより検出された活性酸素種濃度に基づき、当該活性酸素種濃度が予め設定された前記所定濃度となるように、調整水供給管を介して外部の給水源から当該電解水原液貯留ユニット内に水を供給する原液濃度制御ユニットと、
を有することを特徴とする電解水供給装置。
【請求項３】
請求項１又は２記載の電解水供給装置において、
前記分配濃度調整制御ユニットは、
各分配管毎に前記電解水原液貯留ユニットから供給される電解水原液を分配する量を制御することにより、各分配管毎に電解水の活性酸素種濃度を調整すること、
を特徴とする電解水供給装置。
【請求項４】
請求項１〜３のいずれか一項に記載の電解水供給装置において、
前記分配濃度調整制御ユニットは、
各分配管毎に前記外部の給水源から各分配管に供給される水の量を制御することにより、各分配管毎に電解水の活性酸素種濃度を調整すること、
を特徴とする電解水供給装置。
【請求項５】
請求項１〜４のいずれか一項に記載の電解水供給装置において、
前記分配管は前記外部装置を経由して前記電解水原液生成ユニットに接続されること、
を特徴とする電解水供給装置。
【請求項６】
請求項１〜４のいずれか一項に記載の電解水供給装置において、
前記分配管は前記外部装置を経由して前記電解水原液貯留ユニットに接続されること、
を特徴とする電解水供給装置。
【請求項７】
請求項１〜６のいずれか一項に記載の電解水供給装置において、
前記外部装置により使用された電解水を回収して前記電解水原液生成ユニットに供給させる電解水循環手段を有すること、
を特徴とする電解水供給装置。
【請求項８】
請求項１〜７のいずれか一項に記載の電解水供給装置において、
前記外部装置には、前記電解水を空気に接触させることで、空気を除菌する空気除菌装置が含まれること、
を特徴とする電解水供給装置。
【請求項９】
請求項１〜８のいずれか一項に記載の電解水供給装置において、
前記外部装置は、
前記分配濃度調整制御ユニットは、外部から入力された濃度指示信号に基づいて、前記電解水原液と前記外部の給水源から供給される水との混合比を可変に制御すること、
を特徴とする電解水供給装置。
【請求項１０】
請求項９に記載の電解水供給装置と、前記分配濃度調整制御ユニットに濃度指示信号を入力する濃度指示信号入力ユニットを有する外部装置とを備えたことを特徴とする電解水供給システム。
【発明の詳細な説明】
【技術分野】
【０００１】
本発明は、濃度の異なる電解水を同時に調整して外部装置に供給可能な電解水供給装置および電解水供給システムに関する。
【背景技術】
【０００２】
近年、水を電気分解することなどにより得られる電解水が様々な用途で使用されている。例えば、電解水に空気を接触させることにより、空気中に含まれる有害物質を分解・除去等して空気の浄化を行う空気除菌装置や空気除菌機能を有する空気調和装置等が知られている（例えば、特許文献１参照）。
また、電解水の洗浄効果、殺菌効果等を利用して、衣類の洗浄に電解水を利用する洗濯機が知られている（例えば、特許文献２参照）。
更に、塩素（塩化物イオン）を含む水を電気分解することにより得られる次亜塩素酸水は食品添加物にも指定されていることから、電解水生成装置等から取水された電解水は業務用カット野菜の洗浄等に利用されている。また、病院等の医療施設において消毒等の用途で電解水が利用されたり、脱臭、殺菌等の用途で便器洗浄水としてトイレで利用される例も知られている（例えば、特許文献３参照）。
【特許文献１】特開２００３−２５０８７６号公報
【特許文献２】特開２００６−５５４６０号公報
【特許文献３】特開２００６−９７３１１号公報
【発明の開示】
【発明が解決しようとする課題】
【０００３】
例えば、商業ビル等の大規模施設では、各テナント等、複数の箇所で空気除菌装置、洗濯機、トイレや電解水生成装置等が設置されることが想定される。しかしながら、上記の様に各装置毎に電解水生成ユニットを設けて、個別に電解水を生成するのは、各装置の構成を複雑化するとともに、コスト高を招くことになる。
また、例えば、空気除菌装置等で使用する電解水の活性酸素種濃度は１〜５０ｐｐｍ程度と希薄である。このため、例えば、商業ビル等に多数の空気除菌装置を設置する際に、個々の電解水生成ユニットにおいて所定の活性酸素種濃度を有する電解水を生成するには、電解条件を厳密に管理する必要があり、濃度制御が困難である。このように各装置において個々に厳密に電解条件を管理しながら、電解水を生成するのは、電解水を使用するシステム全体としてみた場合に効率が悪いものとなっていた。
本発明の課題は、電解水を効率よく生成して、各装置に所定の濃度の電解水を供給することのできる電解水供給装置および電解水供給システムを提供することにある。
【課題を解決するための手段】
【０００４】
上記課題を解決するため、本発明の電解水供給装置は、所定のイオン種を含む水を電気分解して所定の活性酸素種を含む電解水原液を生成する電解水原液生成ユニットと、前記電解水原液生成ユニットと接続され、活性酸素種濃度を所定濃度に調整した電解水原液を貯留する電解水原液貯留ユニットと、前記電解水原液貯留ユニットおよび外部の給水源と接続され、前記電解水原液と水とを混合した電解水を外部装置に分配する分配管を複数備えた電解水調整分配ユニットと、前記電解水原液と前記外部の給水源から供給される水との混合比を前記分配管毎に制御して、各分配管毎に電解水の活性酸素種濃度を調整可能に制御する分配濃度調整制御ユニットとを備えることを特徴とする。
ここで、所定のイオン種として、ハロゲン化物イオン（Ｘ-）を好ましく挙げることができ、塩化物イオン（Ｃｌ-）を特に好ましく挙げることができる。所定のイオン種を含む水として、例えば、水道水の様に消毒の目的のために予めイオン種（塩化物イオン）が添加された水であってもよいし、井戸水の様にイオン種の希薄な水であっても、例えば、食塩（ＮａＣｌ）などを添加することにより所定のイオン種を含む水に調整されたものを用いてもよい。
上記構成によれば、電解水原液生成ユニットにおいて外部装置に分配する電解水の原液となる電解水原液を一括して生成することができ、電解水を利用するシステム全体として見た場合の電解水生成効率を向上させることができる。また、電解水調整分配ユニットは、電解水原液と水とを混合した電解水を外部装置に分配する分配管を複数備え、分配濃度調整制御ユニットは電解水原液と水との混合比を分配管毎とに制御して、各分配管毎に電解水の活性酸素種濃度を調整可能に制御するので、外部装置にそれぞれ異なる活性酸素種濃度の電解水を分配管を介して供給することができる。
【０００５】
上記構成の電解水供給装置において、前記電解水原液貯留ユニットは、当該電解水原液貯留ユニット内の電解水原液の活性酸素種濃度を検出する濃度検出センサと、前記濃度検出センサにより検出された活性酸素種濃度に基づき、当該活性酸素種濃度が予め設定された前記所定濃度となるように、調整水供給管を介して外部の給水源から当該電解水原液貯留ユニット内に水を供給する原液濃度制御ユニットとを有することが好ましい。
ここで、電解水原液生成ユニットは、上記予め設定された所定濃度よりも濃い濃度の活性酸素種を含む電解水を生成することが好ましい。
上記構成によれば、電解水原液貯留ユニットは、濃度検出センサを有しているので、電解水原液貯留ユニット内の電解水濃度（活性酸素種濃度）を検出することができる。そして、原液濃度制御ユニットは、電解水原液貯留ユニット内の濃度が予め設定された所定濃度となるように、調整水供給管を介して外部の給水源から水を供給するので、電解水原液貯留ユニット内の濃度を常に予め設定された所定濃度に保つことができる。
この際、電解水原液貯留ユニット内の濃度が上記所定濃度よりも低下した場合には、電解水原液生成ユニットから所定量の電解水原液を供給する構成とすることが好ましい。
【０００６】
上記構成の電解水供給装置において、前記分配濃度調整制御ユニットは、各分配管毎に前記電解水原液貯留ユニットから供給される電解水原液を分配する量を制御することにより、各分配管毎に電解水の活性酸素種濃度を調整することが好ましい。
ここで、電解水原液を分配する量を制御するための具体的方法として、分配管に流量調整弁を設けておき、流量調整弁により電解水原液を分配する流量を制御する方法や、分配管に開閉弁を設けておき、開閉弁を開く時間を制御することにより電解水原液を分配する方法を挙げることができる。また、滴下ポンプや定量注入ポンプを接続し、滴下量を制御することにより電解水原液を分配する方法などもある。
【０００７】
また、上記構成の電解水供給装置において、前記分配濃度調整制御ユニットは、各分配管毎に前記外部の給水源から各分配管に供給される水の量を制御することにより、各分配管毎に電解水の活性酸素種濃度を調整することが好ましい。
ここで、外部の給水源から各分配管に供給される水の量を制御するための具体的方法として、流量調整弁等を用いて外部の給水源から分配管に供給する水の流量を制御する方法や、開閉弁等を用いて外部の給水源から分配管に水を供給する時間を制御する方法を挙げることができる。
【０００８】
また、上記構成の電解水供給装置において、前記分配管は前記外部装置を経由して前記電解水原液生成ユニットに接続されることが好ましい。
この構成によれば、分配管を外部装置を経由して電解水原液生成ユニットに接続することで、外部装置において電解水が使用されなかった場合に電解水を電解水原液生成ユニットに戻すことができる。電解水原液生成ユニットでは、分配管を介して戻された電解水を用いて再度電気分解を行い所定の高濃度の電解水を生成することができる。これにより、外部装置による電解水の使用の有無や電解水中の活性酸素種の分解等による活性酸素種濃度低減に拘わらず、分配管内の電解水濃度を一定に保持した状態で電解水を循環させることができ、外部の給水源から供給される水の消費量を低減することができる。
【０００９】
また、上記構成の電解水供給装置において、前記分配管は前記外部装置を経由して前記電解水原液貯留ユニットに接続されることが好ましい。
上記構成によれば、分配管を外部装置を経由して電解水原液貯留ユニットに接続することで、外部装置において電解水が使用されなかった場合に電解水を電解水原液貯留ユニットに戻すことができる。電解水原液貯留ユニットでは、分配管を介して戻された電解水を用いて電解水を所定濃度に調整するために用いることができる。これにより、外部装置による電解水の使用の有無や電解水中の活性酸素種の分解等による活性酸素種濃度低減に拘わらず、分配管内の電解水濃度を一定に保持した状態で電解水を循環させることができ、外部の給水源から供給される水の消費量を低減することができる。
【００１０】
また、上記構成の電解水供給装置において、前記外部装置により使用された電解水を回収して前記電解水原液生成ユニットに供給させる電解水循環手段を有することが好ましい。
上記構成によれば、外部装置により使用された電解水を回収して電解水原液生成ユニットに供給させる電解水循環手段を有しているので、外部の給水源から供給される水の消費量を低減することができる。
【００１１】
また、上記構成の電解水供給装置において、前記外部装置には、前記電解水を空気に接触させることで、空気を除菌する空気除菌装置が含まれることが好ましい。
上記構成によれば、電解水を空気に接触させることで、空気を除菌する空気除菌装置を複数有するシステムにおいて、各空気除菌装置毎に電解水を生成するための電解水生成装置を設ける必要がなく、各空気除菌装置の構成を簡略化することができるとともに、電解水の生成効率を上げ、濃度管理を簡易にすることができる。
【００１２】
また、上記構成の電解水供給装置において、前記分配濃度調整制御ユニットは、外部から入力された濃度指示信号に基づいて、前記電解水原液と前記外部の給水源から供給される水との混合比を可変に制御することが好ましい。
上記構成によれば、外部から入力された濃度指示信号に基づいて、分配濃度調整制御ユニットは電解水原液と水との混合比を可変に制御するので、外部装置側では電解水の活性酸素種濃度を用途に応じて異なる濃度の電解水を使用することができる。
【００１３】
また、本発明の電解水供給システムは、上記構成の電解水供給装置と、前記分配濃度調整制御ユニットに濃度指示信号を入力する濃度指示信号入力ユニットを有する外部装置とを備えたことを特徴とする。
【発明の効果】
【００１４】
本発明によれば、電解水供給装置は一括して電解水原液を生成し、所定の濃度に調整して外部装置に分配する構成としているので、電解水を効率よく生成して、各装置に所定の濃度の電解水を供給することができる。
【発明を実施するための最良の形態】
【００１５】
以下、図面を参照して本実施の形態を説明する。
図１に、本実施の形態の電解水供給装置１０と、この電解水供給装置１０および外部装置１１、１２、１３、１４とによって構成される電解水供給システム１００の概略を示す。
【００１６】
図１に示す電解水供給装置１０は外部の給水源（図示略）と配水管１５を介して接続され、給水源から供給される水を用いて電解水原液を生成し、電解水中に含まれる活性酸素種濃度を適宜調整して外部装置１１、１２、１３、１４に供給可能に構成したものである。電解水供給装置１０は外部装置１１、１２、１３、１４に電解水を供給するための複数の分配管１６（１６ａ、１６ｂ、１６ｃ）を有し、各分配管１６毎に供給する電解水の活性酸素種濃度を調整することができるようになっている。各分配管１６には外部装置１１、１２、１３、１４を接続するための接続口１７（１７ａ、１７ｂ、１７ｃ）がそれぞれ複数形成されており、各接続口１７に各外部装置１１、１２、１３、１４とを接続することによって外部装置１１、１２、１３、１４に電解水をそれぞれ供給することができるように構成されている。
【００１７】
ここで、外部の給水源は、具体的には水道管や給水槽等であり、水道水（市水）や井戸水、蒸留水、精製水等各種の水（以下、「水道水等」という。）が電解水供給装置１０に供給される。
【００１８】
分配管１６は電解水を外部装置１１、１２、１３、１４に分配するものであるため、次亜塩素酸などの活性酸素種を含む電解水に耐性があり、錆び等の劣化を招かない素材を用いて構成される。
具体的には、塩化ビニル管、ポリエチレン管、ポリブテン管、架橋ポリエチレン管などのプラスチック管、塩ビライニング鋼管などの鉄等の金属製の管の内部をプラスチックでコーティングした複合管などを用いて分配管１６を構成することができる。
【００１９】
外部装置（１１、１２、１３）は、除菌、殺菌、消臭、脱臭等の各種目的のために電解水を使用する装置であり、電解水を用いて空気を除菌する空気除菌装置１１、あるいはこの空気除菌機能を有する空気調和装置１２、便器洗浄水として電解水を用いて脱臭、便器の殺菌等を行う水洗式トイレ１３等が具体例として挙げられる。また、外部装置（１４）は、除菌、殺菌、消臭等の各種目的のために装置内部で電解水を使用して各種目的を達成するものに限らず、例えば、分配管１６を介して供給された電解水を所定量貯留するためのタンクと蛇口等を有し、必要時に適宜必要量の電解水をユーザに供給するための電解水取水装置１４等も含まれる。
【００２０】
電解水供給装置１０が外部装置１１、１２、１３、１４に供給すべき電解水の活性酸素種濃度はその用途によって異なる。例えば、空気除菌を行う空気除菌装置１１あるいは空気調和装置１２等に供給すべき電解水の活性酸素種濃度は、例えば、１〜５０ｐｐｍ程度である。水洗式トイレ１３等において便器洗浄用の水として電解水を使用する場合、水洗式トイレ１３等に供給すべき電解水の活性酸素種濃度は、１〜５００ｐｐｍ程度であることが好ましい。
【００２１】
また、電解水取水装置１４に供給すべき電解水の活性酸素種濃度は、ユーザの電解水の使用目的により異なる。例えば、電解水取水装置１４を病院等に設置し、手洗い時の消毒等の目的で電解水を使用する場合には、活性酸素種濃度が１〜１００ｐｐｍ程度の電解水を供給することが好ましい。また、電解水取水装置１４を厨房等に設置する場合には、カット野菜の洗浄等の食材の洗浄、手洗い時の消毒、殺菌目的で電解水を使用する場合には、活性酸素種濃度が１〜１０００ｐｐｍ程度の電解水を供給することが好ましく、床面の拭き掃除等に電解水を用いる場合には、活性酸素種濃度が１〜２０００ｐｐｍ程度の電解水を供給することが好ましい。また、スーパーマーケットや各種小売店等に設置し、不特定多数の顧客が使用するカートや買い物篭等の殺菌目的に電解水を用いる場合には、１〜１００ｐｐｍ程度の活性酸素種濃度の電解水を供給することが好ましい。
【００２２】
この様に、外部装置１１、１２、１３、１４に供給すべき電解水の活性酸素種濃度は用途に応じて異なっている。そこで、本実施の形態の電解水供給装置１０では所定濃度の活性酸素種濃度を有する電解水原液を一括して生成（調整）するとともに、用途に応じて分配管１６毎に異なる活性酸素種濃度の電解水を同時に調整可能に構成している。なお、本実施の形態では分配管１６ａに空気除菌装置１１および空気調和装置１２が接続され、分配管１６ｂに水洗式トイレ１３が接続され、分配管１６ｃに電解水取水装置１４が接続され、各分配管１６ａ、１６ｂ、１６ｃを流れる電解水の活性酸素種濃度はそれぞれ異なるものとして以下説明する。
【００２３】
次に、図２を参照して、本実施の形態の電解水供給装置１０の内部構成を説明する。
図２に示すように、電解水供給装置１０は予め設定された目標濃度の電解水原液を生成する電解水原液生成ユニット２０と、電解水原液を予め設定された所定濃度で貯留する電解水原液貯留ユニット３０と、電解水原液と水とを混合して分配管１６を介して外部装置１１、１２、１３、１４に電解水を分配する電解水調整分配ユニット４０とを備えている。また、電解水供給装置１０には、必要に応じてイオン種添加ユニット５０が設けられる。
【００２４】
また、電解水供給装置１０には、電解水原液生成ユニット２０における電解水原液制御動作、電解水原液貯留ユニット３０における電解水原液濃度調整動作、イオン種添加ユニット５０におけるイオン種添加動作、配水管１５に設けられた三方弁１５ａの開閉、排水管１８に設けられた二方弁１８ａの開閉等を制御する原液濃度制御ユニット６０を有している。但し、この原液濃度制御ユニット６０はＣＰＵ、ＲＡＭ、ＲＯＭ等を備え、これらの協働の下、コンピュータ制御により各ユニット等を制御するものであり、各ユニットおよび弁とは制御線を介して接続されている。
【００２５】
また、電解水供給装置１０は上述のように配水管１５を介して外部の給水源と接続されており、この配水管１５は電解水供給装置１０内部の分岐点１５ｂにおいて電解水原液生成ユニット２０および電解水原液貯留ユニット３０側と、電解水調整分配ユニット４０側とに分岐して配管されている。電解水原液生成ユニット２０および電解水原液貯留ユニット３０側に分岐した配水管１５には上述のように三方弁１５ａが設けられ、調整水供給管１５ｃが分岐している。この三方弁１５ａにより電解水原液生成ユニット２０又は電解水原液貯留ユニット３０に選択的に水を供給することができるようになっている。
【００２６】
次に、各ユニットの構成を説明する。
電解水原液生成ユニット２０は、図２に示すように、少なくとも一対の電極２１、２２（電極板）を備えた電解槽２３と、電解槽２３内の水位を検出する水位センサ（図示略）とを有し、外部の給水源から原液濃度制御ユニット６０の制御の下、電極２１、２２間に通電して、電解槽２３内に所定量供給される水道水等の水を電気分解することにより、所定の活性酸素種を予め設定された目標濃度で含む電解水を生成するものである。但し、目標濃度は、電解水原液貯留ユニット３０において貯留すべき電解水の活性酸素種濃度として予め設定される所定濃度よりも１０〜１００倍の範囲内で所定の値が設定される。
【００２７】
ここで、本実施の形態において活性酸素種とは、通常の酸素よりも高い酸化活性を持つ酸素分子と、その関連物質のことであり、スーパーオキシドアニオン、一重項酸素、ヒドロキシラジカル、或いは過酸化水素といった、いわゆる狭義の活性酸素に、オゾン、次亜ハロゲン酸といった、いわゆる広義の活性酸素を含めたものをいう。
【００２８】
電極２１、２２は、例えばベースがＴｉ（チタン）で皮膜層がＩｒ（イリジウム）、Ｐｔ（白金）から構成された２枚の電極板を用いることができる。
【００２９】
上記電極２１、２２により水道水等に通電すると、カソード電極（陽極）では、
４Ｈ+＋４ｅ-＋（４ＯＨ-）→２Ｈ2＋（４ＯＨ-）
の反応が起こり、アノード電極（陰極）では、
２Ｈ2Ｏ→４Ｈ+＋Ｏ2＋４ｅ-
の反応が起こると同時に、水道水等に元々含有される塩化物イオンまたは後述するようにイオン種添加ユニット５０により添加された塩化物イオン等が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００３０】
電極２１、２２間に印加する電圧、電流、通電時間等の電解条件は原液濃度制御ユニット６０により、電解槽２３内において予め設定された目標濃度の活性酸素種が生成されるように制御される。例えば、遊離残留塩素濃度３００００ｍｇ／リットルとなるように次亜塩素酸を含む電解水を生成させる場合には、電極２１、２２に所定の電流密度の電流（例えば、２０ｍＡ／ｃｍ2等）を所定の時間通電する。
【００３１】
イオン種添加ユニット５０は、例えば、上述の様に、活性酸素種として次亜塩素酸を生成する場合等、活性酸素種を構成するイオン種であって水を構成するイオン種（Ｈ+、ＯＨ-，ｅｔｃ．）以外のイオン種を必要に応じて添加するためのものである。すなわち、イオン種添加ユニット５０は外部の給水源から電解槽２３に導入される水に含まれる所定のイオン種の濃度が希薄な場合に設けられる。イオン種添加ユニット５０により電解槽２３内にイオン種を添加して、電気分解に供される水のイオン種濃度を最適に調整することで、効率良く電解水を生成することができるとともに、活性酸素種濃度が目標濃度となるように活性酸素種を効率よく生成することができる。
【００３２】
ここで、所定のイオン種は、活性酸素種の生成に必要なイオン種であって、水を構成するイオン種以外のものを指す。
【００３３】
図２に示すように、イオン種添加ユニット５０は、所定のイオン種を含む物質（電解質）を貯留する電解質貯留タンク５１と、電解質貯留タンク５１と電解槽２３とを接続するイオン種滴下管５２と、このイオン種滴下管５２に設けられる流量調整弁５３とを備えている。
【００３４】
電解質貯留タンク５１に貯留する電解質として、例えば、塩化物イオンを所定のイオン種として電解槽２３内に添加する場合には、塩化ナトリウム（ＮａＣｌ）や塩化カリウム（ＫＣｌ）を用いることができる。塩化ナトリウムを用いれば、市販の食塩等を利用することができ、安価かつ安全に取り扱うことができて好ましい。
【００３５】
また、塩化ナトリウムなどの電解質は、食塩水のように水溶液に調整した状態で貯留タンク内に貯留される。このように水溶液の状態で所定のイオン種を水道水等に添加することで、所定のイオン種を簡易に水道水等に添加することができる。
【００３６】
原液濃度制御ユニット６０は、イオン種添加ユニット５０におけるイオン種添加動作を制御するに際して、電極２１、２２を用いて電極法により電解槽２３内の導電率を検出し、検出された導電率に基づいて流量調整弁５３の開度を調整し、電解槽２３内のイオン種濃度が水道水等の電気分解に最適となるように、イオン種の添加量を制御する。
【００３７】
ここで、水道水等の導電率を検出するのは、水道水等中のイオン種の濃度を求め、電解槽２３内のイオン種濃度が水道水等の電気分解に最適となるような添加量を求めるためである。但し、電解槽２３内の導電率と電解槽２３内のイオン種濃度とは、例えば、電解槽２３内の塩化物イオン濃度が３０００ｐｐｍの場合、導電率は約１００００μＳ／ｃｍ等になるなど、予め実験等によりデータ化されており、原液濃度制御ユニット６０が備える図示しないＲＯＭ等に記憶されているものとする。
【００３８】
電解水原液貯留ユニット３０は、電解槽２３と電解水供給管２４を介して接続され、電解槽２３において生成された電解水原液の活性酸素種濃度を予め設定された所定濃度に調整して一定量を貯留し、所定濃度の電解水原液を原液供給管３１を介して電解水調整分配ユニット４０に供給するためのものである。図２に示すように、電解水原液貯留ユニット３０には、タンク状に形成されたこの電解水原液貯留タンク３２と、この電解水原液貯留タンク３２内に貯留された電解水の活性酸素種濃度を検出するための濃度検出センサ３３が配置されている。また、電解水原液貯留ユニット３０には、配水管１５から分岐した調整水供給管１５ｃを介して外部の給水源から水を供給することができ、排水管１８を介して内部に貯留された電解水を外部に排出することができるように構成されている。
【００３９】
上述したように、電解水原液生成ユニット２０では電解水原液貯留ユニット３０において貯留すべき電解水の活性酸素濃度（所定濃度）よりも約１０〜１００倍程度の濃度を目標濃度として電解水を生成して電解水原液貯留ユニット３０に供給する。原液濃度制御ユニット６０は、濃度検出センサ３３から入力される活性酸素種濃度に基づいて、電解水原液生成ユニット２０から導入する電解水量および調整水供給管１５ｃを介して電解水原液貯留ユニット３０内に導入する水（濃度調整水）の量を制御して、電解水原液貯留ユニット３０内の電解水の活性酸素種濃度が常に予め設定された所定濃度となるように制御する。
【００４０】
ここで、所定濃度は、外部装置１１、１２、１３、１４に供給すべき電解水の活性酸素種濃度（例えば、空気除菌装置１１に供給する場合、１〜５０ｐｐｍ）に対して約１００倍〜５０００倍の範囲内で所定の値に設定される。
【００４１】
上記のように活性酸素種濃度が予め設定された所定濃度に調整された電解水原液は、原液供給管３１を介して電解水原液貯留ユニット３０から電解水調整分配ユニット４０に供給される。
電解水調整分配ユニット４０は、上記原液供給管３１を介して電解水原液貯留タンク３２と接続されるとともに、外部の給水源と分岐点１５ｂにおいて配水管１５から分岐した配水管１９を介して接続されている。
【００４２】
図３に、電解水調整分配ユニット４０の内部構成を示す。図３に示すように、電解水調整分配ユニット４０は、上記原液供給管３１および配水管１９と接続される複数の分配管１６を有しており、原液供給管３１を介して供給される電解水原液と、配水管１９を介して供給される水とが混合されたものが分配管１６を介して外部装置１１、１２、１３、１４に供給される。また、電解水調整分配ユニット４０には各分配管１６毎に電解水原液と水との混合比を制御して、各分配管１６毎に電解水の活性酸素種濃度を調整可能に制御する分配濃度調整制御ユニット７０が配置される。
【００４３】
原液供給管３１は、電解水原液貯留ユニット３０と接続される原液供給共用管３１ａと、この原液供給共用管３１ａから各分配管１６に分岐して接続される原液供給分岐管３１ｂを有している。各原液供給分岐管３１ｂには流量調整弁４１が設けられており、分配管１６に供給する電解水原液の量を分配管１６毎に調整可能に構成されている。
【００４４】
一方、配水管１９についても、外部の給水源と接続される配水共用管１９ａと、この配水共用管１９ａから各分配管１６に分岐して接続される配水分岐管１９ｂを有している。各配水分岐管１９ｂには流量調整弁４２が設けられており、分配管１６に供給する水の量を分配管１６毎に調整可能に構成されている。
【００４５】
分配濃度調整制御ユニット７０は、図示しないＣＰＵ、ＲＡＭ、ＲＯＭ等を備え、これらの協働の下、コンピュータ制御により流量調整弁４１、４２の弁開度を制御するものであり、各流量調整弁４１、４２とは制御線を介して接続されている。すなわち、分配濃度調整制御ユニット７０は、電解水の活性酸素種濃度が各分配管１６毎に予め設定された供給濃度となるように、原液供給分岐管３１ｂに設けられた流量調整弁４１の弁開度と、配水分岐管１９ｂに設けられた流量調整弁４２の弁開度とを調整し、電解水原液と水との混合比を変化させる。
【００４６】
この際、分配濃度調整制御ユニット７０は、配水分岐管１９ｂに設けられた流量調整弁４２の弁開度を一定として、原液供給分岐管３１ｂに設けられた流量調整弁４１の弁開度を調整することにより、分配管１６に供給される電解水原液の量を制御して、活性酸素種濃度を調整してもよいし、原液供給分岐管３１ｂに設けられた流量調整弁４１の弁開度を一定として、配水分岐管１９ｂに設けられた流量調整弁４２の弁開度を調整することにより、分配管１６に供給する水の量を制御して、活性酸素種濃度を調整してもよいし、双方の流量調整弁４１、４２の弁開度を適宜調整して電解水原液と水の混合比を変化させてもよい。
【００４７】
これにより、分配管１６を介して各外部装置１１、１２、１３、１４に供給すべき電解水の活性酸素種濃度を各外部装置１１、１２、１３、１４毎に所望の供給濃度に調整することができる。また、後述するように外部装置１１、１２、１３、１４から濃度指示信号の入力があった場合には、その濃度指示信号に応じた濃度となるように各流量調整弁４１、４２の弁開度を制御して電解水を調整する機能を有している。但し、各流量調整弁４１、４２の弁開度と、電解水の活性酸素種濃度とは予め実験等により対応付けられており、分配濃度調整制御ユニット７０は各外部装置１１、１２、１３、１４に対する供給濃度に応じた活性酸素種濃度となるように各流量調整弁４１、４２の弁開度を制御する。
なお、分配管１６にはそれぞれ逆止弁が設けられており、電解水の逆流が防止されている。
【００４８】
次に、外部装置１１、１２としての、空気除菌装置１１、空気除菌機能を有する空気調和装置１２について説明する。
空気除菌装置１１は、図４（ａ）に示す様に、空気の吸込口８１および吹出口８２を備える筐体８３と、吸込口８１から吸い込んだ空気を吹出口８２に向けて送風する送風機８４と、送風機８４により筐体８３内に形成される送風経路上に配置され、当該送風経路を介して供給される空気に分配管１６ａを介して供給される電解水を接触させて空気の除菌を行う空気除菌ユニット９０を備えるものである。
【００４９】
また、空気除菌機能を有する空気調和装置１２は例えば、一台の室外ユニット（図示略）に、図４（ｂ）に示す室内ユニット１２ａが接続されたもので、室内ユニット１２ａの筐体８５内には室内熱交換器８６と、室内ユニット１２ａに吸込口８７を介して空気を導入して、室内熱交換器８６による熱交換後の空気を吹出口８８を介して室内に送風する送風機８９と、この送風機８９により室内ユニット１２ａに導入される空気に分配管１６ａを介して供給される電解水を接触させて空気を除菌する空気除菌ユニット９０とを備えるものである。なお、室内熱交換器８６は、室外ユニットが備える圧縮機（図示略）、室外熱交換器（図示略）等と冷媒配管（図示略）を介して接続されており、冷媒回路（図示略）を構成する。
【００５０】
但し、上記の空気除菌装置１１および空気調和装置１２に備えられる空気除菌ユニット９０は略同様の構成である。
【００５１】
図５に、これらの空気除菌ユニット９０の構成例を示す。図５に示す空気除菌ユニット９０は、保水性の高い気液接触部材９１と、この気液接触部材９１の上部に配置される分散皿９２と、気液接触部材９１の下方に配置される水受け皿９３とを備えている。
【００５２】
気液接触部材９１は、例えば、アクリル繊維やポリエステル繊維等で作製された不織布で構成することができる。また、気液接触部材９１の素材として、電解水に対する反応性の少ない素材が好ましく、他にポリオレフィン系樹脂（ポリエチレン樹脂、ポリプロピレン樹脂等）、塩化ビニル樹脂、フッ素系樹脂（ＰＴＦＥ、ＰＦＡ、ＥＴＦＥ等）、セルロース系材料又はセラミックス系材料等を用いることができる。
【００５３】
気液接触部材９１は親水処理等を施すことなどにより、電解水に対する親和性を高めることが好ましい。電解水に対する親和性を高める処理を施すことにより、気液接触部材９１の電解水の保水性（湿潤性）が保たれ、電解水と導入された空気との接触が長時間持続される。
【００５４】
分散皿９２は、その側面に電解水分配管９４が接続される接続口９５が形成される。但し、この電解水分配管９４は電解水供給装置１０から延びる分配管１６ａに形成された接続口１７に接続される。分散皿９２は、電解水分配管９４を介して供給された電解水を滴下して、気液接触部材９１に分散させるための孔（不図示）が、上記分散皿９２の底面に多数形成されている。
【００５５】
水受け皿９３は、気液接触部材９１を下方から保持するとともに、当該気液接触部材９１を通過した電解水を貯留するもので、水受け皿９３の底面には電解水を図示しないドレンパンに導くドレン管９６が接続されている。
【００５６】
このような空気除菌ユニット９０では、例えば、室内の空気にインフルエンザウィルスが侵入した場合、その感染に必須の当該ウィルスの表面タンパク（スパイク）を活性酸素種が破壊、消失（除去）する機能を持ち、これを破壊すると、インフルエンザウィルスと、当該ウィルスが感染するのに必要な受容体（レセプタ）とが結合しなくなり、これによって感染が阻止される。衛生環境研究所との共同による実証試験の結果、インフルエンザウィルスが侵入した空気を本構成の気液接触部材９１に通した場合、当該ウィルスの感染力を９９％以上除去できることが判明している。
【００５７】
他の外部装置１３、１４として、上記したように、水洗式トイレ１３や、電解水取水装置１４が分配管１６ｂ、１６ｃに接続される。
水洗式トイレ１３は、例えば、便器洗浄水を貯留する貯留タンクに分配管１６ｂを介して電解水が供給され、電解水を便器洗浄水として用いることで、尿石やニオイ成分の生成の原因となる細菌を除菌し、便器への尿石付着を防止し、脱臭効果を発揮することができる。
また、電解水取水装置１４は、上述の様に、分配管１６ｃを介して供給される電解水を貯留する貯留タンクや蛇口等を備えたもので、ユーザが必要時に必要量の電解水を適宜取水して使用することができる。
【００５８】
これらの外部装置１１、１２、１３、１４の中には、電解水供給装置１０とは通信線等を介して有線あるいは無線によりデータ通信可能に構成され、図２に示すように、濃度指示信号入力ユニット１２ｂ、１３ａ、１４ａを有するものが含まれる。この濃度指示信号入力ユニット１２ｂ、１３ａ、１４ａを介して、ユーザ等は外部装置１１、１２、１３、１４が接続される分配管１６内を流れる電解水の活性酸素種濃度を分配濃度調整制御ユニット７０に対して指示することができるように構成されている。分配濃度調整制御ユニット７０では、外部装置１１、１２、１３、１４の有する濃度指示信号入力ユニット１２ｂ、１３ａ、１４ａを介して濃度指示信号の入力を受けると、活性酸素種濃度が濃度指示信号に対応する濃度となるように、原液供給分岐管３１ｂと、配水分岐管１９ｂを介して分配管１６に供給される水と電解水原液との混合比を変化させる。
【００５９】
以上、説明した本実施の形態によれば、電解水原液生成ユニット２０において外部装置１１、１２、１３、１４に分配する電解水の原液となる電解水原液を一括して生成することができ、個々の外部装置１１、１２、１３、１４にそれぞれ電解水原液生成ユニット２０等を設ける構成と比して、電解水供給システム全体として見た場合の電解水生成効率を向上させることができる。また、各外部装置１１、１２、１３、１４に電解水原液生成ユニット２０を個々に設ける必要がないので、各外部装置１１、１２、１３、１４の装置構成を簡略化することができる。
【００６０】
また、電解水調整分配ユニット４０は、電解水原液と水とを混合した電解水を外部装置１１、１２、１３、１４に分配する分配管１６を複数備え、分配濃度調整制御ユニット７０は電解水原液と水との混合比を分配管１６毎に制御して、各分配管１６毎に電解水の活性酸素種濃度を調整可能に制御するので、外部装置１１、１２、１３、１４にそれぞれ異なる活性酸素種濃度の電解水を分配管１６を介して供給することができる。
【００６１】
この際、電解水原液貯留ユニット３０は、濃度検出センサ３３を有し、電解水原液貯留ユニット３０内の活性酸素種濃度を検出し、原液濃度制御ユニット６０は、電解水原液貯留ユニット３０内の濃度が予め設定された所定濃度となるように、調整水供給管１５ｃを介して外部の給水源から水を供給する構成としているので、電解水原液貯留ユニット３０内の濃度を常に予め設定された所定濃度に保つことができる。
【００６２】
また、本実施の形態では電解槽２３では活性酸素種濃度が所定濃度よりも１０〜１００倍の目標濃度を有する電解水を生成する構成としているので、例えば、電解水原液貯留ユニット３０内に貯留された電解水が経時変化により活性酸素種が分解して活性酸素種濃度が低下した場合にも、電解槽２３からより高濃度の電解水を供給することで、電解水原液貯留ユニット３０内に貯留された電解水の活性酸素種濃度を常に所定濃度となるようにすることができ、濃度管理を厳密にかつ簡易に行うことができる。
【００６３】
また、分配管１６を介して外部装置１１、１２、１３、１４に供給する電解水濃度は、５〜５０ｐｐｍと希薄な濃度である場合が多い。このため、外部装置１１、１２、１３、１４に個々に電解水原液生成ユニット２０を設け、個々の電解水原液生成ユニット２０において活性酸素種濃度がこの様な希薄な濃度となるように、電解条件を制御しながら電解水を生成するのは困難である。しかしながら、本実施の形態では、電解水原液生成ユニット２０では、１，０００〜５００，０００倍程度の高濃度の電解水を生成する構成としているので、濃度管理を行うための電解条件の制御等を容易にすることができる。
【００６４】
また、本実施の形態では、電解槽２３には陽極室と陰極室とを隔てる膈膜等を特に設けず、電解槽２３内に直接電極２１、２２（電極板）を配置する構成としている。膈膜を設けた場合には、膈膜の乾燥を防止する必要があるが、膈膜を設けない構成とすることで膈膜の乾燥防止のために要する管理上の手間を簡略化することができる。
【００６５】
また、上記構成の電解水供給システム１００では、外部装置１１、１２、１３、１４の中には、分配濃度調整制御ユニット７０に濃度指示信号を入力する濃度指示信号入力ユニット１２ｂ、１３ａ、１４ａを有するものを含むため、この濃度指示信号入力ユニット１２ｂ、１３ａ、１４ａを介して入力されて濃度指示信号に基づいて、分配濃度調整制御ユニット７０は電解水原液と水との混合比を可変に制御するので、外部装置１１、１２、１３、１４側では電解水の活性酸素種濃度を用途に応じて異なる濃度の電解水を使用することができる。
【００６６】
以上説明した上記実施の形態は本発明の一態様であり、本発明の趣旨を逸脱しない範囲において適宜変更可能なのは勿論である。
例えば、上記実施の形態では、電解水調整分配ユニット４０は、原液供給分岐管３１ｂと、配水分岐管１９ｂのそれぞれに流量調整弁４１、４２を設け、分配濃度調整制御ユニット７０においてこれらの流量調整弁４１、４２の弁開度を調整することにより、電解水原液と水との混合比を制御するものとしたが、原液供給分岐管３１ｂまたは配水分岐管１９ｂのどちらか一方にのみ流量調整弁４１又は４２を設け、電解水原液又は水の流量のいずれかを一定とし、いずれかの流量を制御することにより電解水原液と水との混合比を制御してもよい。また、流量調整弁４１、４２をそれぞれ開閉弁とし、開閉弁を開く時間、すなわち弁開時間を制御することにより電解水原液と水との混合比を制御するようにしてもよい。この際、原液供給分岐管３１ｂまたは配水分岐管１９ｂのどちらか一方にのみ開閉弁を設け、電解水原液および水のうちいずれか一方の流量を一定とし、他方の流量を制御することで電解水原液と水との混合比を制御するようにしてもよい。また、例えば、電解水原液分岐管３１ｂに滴下ポンプや定量注入ポンプを接続し、電解水原液の水に対する滴下量を制御することにより電解水原液と水との混合比を制御してもよい。勿論、この場合においても、配水分岐管１９ｂに滴下ポンプや定量注入ポンプを接続し、電解水原液の流量を一定として水の流量を可変としたり、電解水原液および水の流量を双方に可変とすることで電解水原液と水との混合比を制御する構成としてもよい。
【００６７】
また、電解水調整分配ユニット４０において、例えば、図６に示すように、原液供給分岐管３１ｂと配水分岐管１９ｂと分配管１６とを混合弁４３により接続する構成とし、分配濃度調整制御ユニット７０の制御の下、混合弁４３により原液供給分岐管３１ｂから供給される電解水原液と配水分岐管１９ｂから供給される水との混合比を任意に調整するように構成してもよい。
【００６８】
また、上記実施の形態では特に説明しなかったが、図７に示すように分配管１６を外部装置１１、１２、１３、１４を経由して電解水供給装置１０に接続し、電解水を循環させる構成としてもよい。
【００６９】
例えば、図８に示すように、外部装置１１、１２、１３、１４を経由した分配管１６を電解水原液生成ユニット２０に接続することで、電解水原液生成ユニット２０では、外部装置１１、１２、１３、１４において使用されなかった電解水を用いて再度電気分解を行い目標濃度の活性酸素種を含む電解水を生成することができる。これにより、外部装置１１、１２、１３、１４による電解水の使用の有無や電解水中の活性酸素種の分解等による活性酸素種濃度低減等に拘わらず、分配管１６内の電解水濃度を一定に保持した状態で電解水を循環させることができ、外部の給水源から供給される水の消費量を低減することができる。なお、上述したように、外部の給水源から供給される水にイオン種が既に含まれている場合等には、イオン種添加ユニット５０を設けない構成としてもよい。
【００７０】
同様に、外部装置１１、１２、１３、１４を経由した分配管１６を電解水原液貯留ユニット３０に接続（不図示）することで、外部装置１１、１２、１３、１４において使用されなかった電解水を、電解水原液貯留ユニット３０内の電解水原液の活性酸素種濃度を所定濃度に調整するために用いることができる。これにより、外部装置１１、１２、１３、１４による電解水の使用の有無や電解水中の活性酸素種の分解等による活性酸素種濃度低減に拘わらず、分配管１６内の電解水濃度を一定に保持した状態で電解水を循環させることができ、外部の給水源から供給される水の消費量を低減することができる。
【００７１】
また、上記の電解水供給装置１０に、例えば、図９に示すように、外部装置１１、１２、１３、１４により使用された電解水を回収して電解水原液生成ユニット２０に供給させる電解水循環用配管９７（電解水循環手段）を設ける構成としてもよい。例えば、空気除菌装置１１や空気除菌機能を有する空気調和装置１２においては、電解水は気液接触部材９１に滴下される構成となっている。気液接触部材９１から排出された電解水を回収して電解水循環用配管９７により再び電解水供給装置１０に供給することで、外部の給水源から供給される水の消費量を低減することができる。但し、空気除菌装置１１や空気調和装置１２等から回収した電解水は、上記と同様に電解水原液生成ユニット２０に供給する構成としてもよいし、電解水原液貯留ユニット３０に供給する構成としてもよい。また、衛生面等を考慮すると、分配管１６に接続する外部装置１１、１２、１３として空気除菌装置１１、空気調和装置１２、水洗式トイレ１３が好ましい。
【００７２】
また、上記実施の形態ではイオン種添加ユニット５０によりイオン種を添加する際に、電解槽２３内の導電率を検出し、電解槽２３内のイオン種の濃度が最適になるようにイオン種を添加するものとしたが、給水源から供給される水道水等における塩化物イオン等のイオン種の濃度変化（導電率変化）が少ない場合には、設置時にそのイオン種の濃度を計測しておき、この濃度に対応する弁開度に予め設定する構成としても良い。また、上記構成において、水道水等の導電率の検出は、水道水等の電気分解を開始する際に行ってもよいが、水道水等の導電率は、一日の中で大きく変動するものではないため、毎回検出を行うのではなく、数回に一度行う構成としても良い。
【００７３】
また、上記実施形態では、活性酸素種として次亜塩素酸を発生させる構成について説明したが、活性酸素種としてオゾン（Ｏ3）や過酸化水素（Ｈ2Ｏ2）を発生させる構成としても良い。この場合、電極２１、２２として白金タンタル電極を用いると、イオン種が希薄な水からでも、電気分解により高効率に安定して活性酸素種を生成できるため、イオン種添加ユニット５０等により電解槽２３添加するイオン種の量を低減することができる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応によりＯ2-が生成したＯ2-と溶液中のＨ+とが結合して、過酸化水素（Ｈ2Ｏ2）が生成される。
【００７４】
この構成では、電極２１、２２に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。そして、この電解水中におけるオゾンもしくは過酸化水素の濃度を、対象ウィルス等を不活化させる濃度に調整し、この濃度の電解水が供給された気液接触部材９１に空気を通過させることにより、空気中に浮遊する対象ウィルス等を不活化することができる。また、臭気等のガス状物質も気液接触部材９１を通過する際に、電解水に溶解したり、電解水中のオゾンまたは過酸化水素と反応したりすることにより、空気中から除去されるため、脱臭することができる。
【００７５】
また、水道水等を電気分解することにより、電極２１、２２上（カソード）にスケールが堆積した場合、電気分解性能が低下したり、電解面への水の流れが妨げられたりして、継続的な電気分解が困難となる。この場合、電極２１、２２の極性を反転（電極２１、２２のプラスとマイナスを切り換える）させることが効果的である。カソード電極をアノード電極として電気分解することで、カソード電極上に堆積したスケールを取り除くことができる。この極性反転制御では、例えばタイマを利用して定期的に反転させてもよいし、運転起動の度に反転させる等、不定期的に反転させてもよい。また、電解抵抗の上昇（電解電流の低下、あるいは電解電圧の上昇）を検出し、この結果に基づいて、極性を反転させてもよい。
【図面の簡単な説明】
【００７６】
【図１】本発明の実施の形態の電解水供給システムの概略構成の一例を示す図である。
【図２】本発明の実施の形態の電解水供給装置の内部構成の一例を示す図である。
【図３】本発明の実施の形態の分配濃度調整制御ユニットの内部構成の一例を示す図である。
【図４】本発明の実施の形態の外部装置の一例としての空気除菌装置の構成例（ａ）および空気調和装置の構成例（ｂ）を示す図である。
【図５】空気除菌装置および空気調和装置が備える空気除菌ユニットの構成例を示す図である。
【図６】分配濃度調整制御ユニットの内部構成の他の例を示す図である。
【図７】電解水供給システムの他の構成例を示す図である。
【図８】電解水供給装置の他の内部構成例を示す図である。
【図９】電解水供給システムの更に他の構成例を示す図である。
【符号の説明】
【００７７】
１０  電解水供給装置
１１、１２、１３、１４  外部装置
１１  空気除菌装置（外部装置）
１２  空気調和装置（外部装置）
１２ｂ、１３ａ、１４ａ  濃度指示信号入力ユニット
１３  水洗式トイレ（外部装置）
１４  電解水取水装置（外部装置）
１５ｃ  調整水供給管
１６（１６ａ、１６ｂ、１６ｃ）  分配管
１７  接続口
２０  電解水原液生成ユニット
２１、２２  電極
２３  電解槽
２４  電解水供給管
３０  電解水原液貯留ユニット
３１  原液供給管
３２  電解水原液貯留タンク
３３  濃度検出センサ
４０  電解水調整分配ユニット
５０  イオン種添加ユニット
６０  原液濃度制御ユニット
７０  分配濃度調整制御ユニット
９０  空気除菌ユニット
９１  気液接触部材
９７  電解水循環用配管（電解水循環手段）
１００  電解水供給システム
【図１】
2008136980.tif 000003
【図２】
2008136980.tif 000004
【図３】
2008136980.tif 000005
【図４】
2008136980.tif 000006
【図５】
2008136980.tif 000007
【図６】
2008136980.tif 000008
【図７】
2008136980.tif 000009
【図８】
2008136980.tif 000010
【図９】
2008136980.tif 000011